(57)【特許請求の範囲】
【請求項１】
車両のバッテリー（42）を充電するのに設けられ、前記バッテリー（42）に起電力を供給する太陽電池（21ａ，21ｂ，21ｃ）と、前記バッテリー（42）の残量と前記太陽電池（21ａ，21ｂ，21ｃ）の発電量を視認できる表示部（52，53，54）と、前記表示部の表示状態を制御する充放電制御回路（13）とを備えた太陽光発電システム（11）において、
前記表示部（52，53，54）は、各々が異なる色で発光する複数の素子を備え、前記充放電制御回路（13）は、前記バッテリー（42）の残量に応じて、前記複数の素子から一つの素子を選択して点灯させ、前記太陽電池（21ａ，21ｂ，21ｃ）の発電量に応じて、前記選択した一つの素子の点滅間隔を変化させるように制御する構成としたことを特徴とする太陽光発電システム。
【請求項２】
前記表示部（52，53，54）は、前記複数の素子にそれぞれ対応した複数色のＬＥＤ、または前記複数の素子を有する複数色に発光可能な単独のＬＥＤを備え、個々に点灯する前記選択した一つの素子と、当該選択した一つの素子の点滅パターンで、前記残量と前記発電量を表示するものであることを特徴とする請求項１記載の太陽光発電システム。
【請求項３】
前記選択した一つの素子の点滅パターンは、前記太陽電池（21ａ，21ｂ，21ｃ）の発電量が増加するに従って、点滅間隔を次第に小さくするものであることを特徴とする請求項２記載の太陽光発電システム。
【請求項４】
前記充放電制御回路（13）は、前記バッテリー（42）の充電量が増加するに従って、前記複数の素子である緑色、黄色、赤色の発光色を有する三つの素子を、この順に選択して点灯させるものであることを特徴とする請求項２又は３記載の太陽光発電システム。
【請求項５】
前記太陽電池（21ａ，21ｂ，21ｃ）を収容する少なくとも一つの太陽電池パネル（12ａ，12ｂ，12ｃ）と、前記車両を覆うカバー（１）に設けられ、当該太陽電池パネル（12ａ，12ｂ，12ｃ）と同等以上の数を有する太陽電池ポケット（75ａ，75ｂ，75ｃ）とを備えたことを特徴とする請求項１〜４の何れか一つに記載の太陽光発電システム。
【請求項６】
前記太陽光発電システム（11）の状態信号を、前記車両の防犯装置（30）に送出する構成としたことを特徴とする請求項１〜５の何れか一つに記載の太陽光発電システム。
【発明の詳細な説明】
【技術分野】
【０００１】
本発明は、車両を保護する車体カバーなどに組み込まれ、当該車両のバッテリーを充電するために設けられる太陽光発電システムに関する。
【背景技術】
【０００２】
この種の車両用太陽光発電システムとして、例えば特許文献１には、保護すべき車両を覆う車体カバーの外面に、太陽電池の受光面を露出させ、特に日照時において太陽電池の起電力を換気装置に供給するものが提案されている。こうした太陽光発電システムは、例えば二輪車（鞍乗型車両）に搭載したバッテリーを補充電したり、二次電池を含む二輪車用品に給電したりする場合にも用いられる。
【先行技術文献】
【特許文献】
【０００３】
【特許文献１】実公平１−１５５３１号公報
【発明の概要】
【発明が解決しようとする課題】
【０００４】
しかし、上記従来技術では次のような問題点がある。
【０００５】
車両のバッテリーに太陽電池を繋いで、太陽電池からバッテリーに充電を行なう場合、太陽電池の発電量やバッテリーの充電残量は、測定器を使用しなければ知ることができない。この場合、測定器による電力消費を防ぐためユーザーがボタンを押したときのみ、バッテリーの蓄電量をＬＥＤなどで表示するインジケータを組み込んだものが知られているが、ユーザーが何らかの操作を行わなければ、バッテリーの蓄電量を確認することができず、太陽電池の発電量やバッテリーの残量がすぐに確認できないと、太陽光発電システムとして効率的な運用を図ることができない。
【０００６】
そこで、本発明は上記問題点に鑑み、太陽電池の発電量とバッテリーの残量とを直ちに確認でき、それにより効率的な運用を図ることが可能な太陽光発電システムを提供することを目的とする。
【課題を解決するための手段】
【０００７】
上記目的を達成するために、請求項１に係る発明は、車両のバッテリーを充電するのに設けられ、前記バッテリーに起電力を供給する太陽電池と、前記バッテリーの残量と前記太陽電池の発電量を視認できる表示部と、前記表示部の表示状態を制御する充放電制御回路とを備えた太陽光発電システムにおいて、前記表示部は、各々が異なる色で発光する複数の素子を備え、前記充放電制御回路は、前記バッテリーの残量に応じて、前記複数の素子から一つの素子を選択して点灯させ、前記太陽電池の発電量に応じて、前記選択した一つの素子の点滅間隔を変化させるように制御する構成としたものである。
【０００８】
また、請求項２に係る発明では、前記表示部は、前記複数の素子にそれぞれ対応した複数色のＬＥＤ、または前記複数の素子を有する複数色に発光可能な単独のＬＥＤを備え、個々に点灯する前記選択した一つの素子と、当該選択した一つの素子の点滅パターンで、前記残量と前記発電量を表示するように構成される。
【０００９】
また、請求項３に係る発明では、前記選択した一つの素子の点滅パターンは、前記太陽電池の発電量が増加するに従って、点滅間隔を次第に小さくするものであることを特徴とする。
【００１０】
また、請求項４に係る発明では、前記充放電制御回路は、前記バッテリーの充電量が増加するに従って、前記複数の素子である緑色、黄色、赤色の発光色を有する三つの素子を、この順に選択して点灯させる構成としたものである。
【００１１】
また、請求項５に係る発明では、前記太陽電池を収容する少なくとも一つの太陽電池パネルと、前記車両を覆うカバーに設けられ、当該太陽電池パネルと同等以上の数を有する太陽電池ポケットとを備えて構成される。
【００１２】
また、請求項６に係る発明では、前記太陽光発電システムの状態信号を、前記車両の防犯装置に送出する構成としている。
【発明の効果】
【００１３】
請求項１に記載の太陽光発電システムによれば、ユーザーがわざわざ計測器を用意したり、ボタンなどを操作したりすることなく、表示部を視認すれば、バッテリーの残量と太陽電池の発電量を直ちに確認することができ、太陽光発電システムとして効率的な運用を図ることが可能になる。また、充放電制御回路は、バッテリーの充電量に応じて、点灯する一つの素子を選択し、かつその選択した一つの素子において、太陽電池の発電量に応じて、点滅の間隔を変化させる。これにより、点滅する素子を一つだけにして省電力化を図り、且つ感覚的にも見やすい表示形態を実現することができる。
【００１４】
また、請求項２に記載の太陽光発電システムによれば、表示部としてＬＥＤを使用し、且つ複数の素子にそれぞれ対応した複数のＬＥＤ、または複数の素子を有する複数色に発光可能な単独のＬＥＤの中で、選択した一つの素子の点滅パターンを変化させて、発光する素子の個数と点灯時間を最小限にすることにより、表示部による消費電力を最小限にすると共に、感覚的に見やすい表示形態を実現できる。
【００１５】
また、請求項３に記載の太陽光発電システムによれば、太陽電池の発電量が増加するに従って、選択した一つの素子の点滅間隔が次第に小さくなる。これにより、点滅する素子を一つだけにして省電力化を図り、且つ感覚的にも見やすい表示形態を実現することができる。
【００１６】
また、請求項４に記載の太陽光発電システムによれば、バッテリーの充電量が増加するに従って、緑色、黄色、赤色の順に選択して一つの素子を点灯させる。これにより、点滅する素子を一つだけにして省電力化を図り、且つ感覚的にも見やすい表示形態を実現することができる。
【００１７】
また、請求項５に記載の太陽光発電システムによれば、車両の特性やバッテリーの容量に応じて、必要な数の太陽電池パネルを、車両用のカバーに設けた太陽電池ポケットに取り付けることができる。またこの場合は、バッテリーの残量と太陽電池の発電量を表示部で確認しながら、太陽電池パネルを装着する太陽電池ポケットの位置を選ぶこともできる。
【００１８】
また、請求項６に記載の太陽光発電システムによれば、車両の盗難の場合だけでなく、太陽光発電システムの一部または全部の盗難が図られた場合にも、防犯装置に与えられる太陽光発電システムの状態信号によって、盗難を抑止することができる。また、既存の車両用防犯装置と連動することにより、太陽光発電システム専用の防犯装置を設ける必要がなく、必要最小限の構成で盗難抑止機能を付加できる。
【図面の簡単な説明】
【００１９】
【図１】本実施例の実施例１を示す電装部の配線図である。
【図２】同上、制御モジュールに中継ユニットを接続した状態の平面図である。
【図３】同上、制御モジュールに中継ユニットを接続した状態の斜視図である。
【図４】同上、制御ユニットの正面図である。
【図５】同上、中継ユニットの平面図である。
【図６】同上、カバーの平面図である。
【図７】同上、カバーの側面図である。
【図８】同上、ソーラーパネルモジュールの平面図である。
【図９】同上、ソーラーパネルモジュールを装着した状態を示す要部平面図である。
【発明を実施するための形態】
【００２０】
以下、添付図面を参照して、本発明で提案する太陽光発電システムの一実施例について説明する。
【実施例１】
【００２１】
先ず、ハーネスを含む電装部の構成を図１に基づいて説明する。１は車両としての二輪車を覆う保護用の車体カバー、２は当該二輪車の車両外郭（以下、単に車両２とする）を表し、本発明の太陽光発電システム11は、複数個接続が可能なソーラーパネルモジュール12ａ，12ｂと、電気制御部としての充放電制御回路13を含む制御モジュール14と、ソーラーパネルモジュール12ｂの終端に接続するターミネータ15とを車体カバー１の内部に設ける一方で、盗難信号発信機16を車両２の内部に設け、これらのソーラーパネルモジュール12ａ，12ｂと、制御モジュール14と、終端器としてのターミネータ15と、盗難信号発信機16とを、配線部であるハーネス17により電気的に接続することで構成される。
【００２２】
太陽電池パネルに相当するソーラーパネルモジュール12ａは、光エネルギーを電力に変換する太陽電池21ａを内蔵すると共に、他の機器との電気的な接続を可能にするために、外部連結部としてのコネクタ22ａ，23ａを備える。また、太陽電池21ａの負極性端子に繋がる第１の電源線24が、コネクタ22ａの第１端子およびコネクタ23ａの第１端子にそれぞれ接続され、太陽電池21ａの正極性端子に繋がる第２の電源線25が、コネクタ22ａの第２端子およびコネクタ23ａの第２端子にそれぞれ接続され、セキュリティ用の第１の信号線26が、コネクタ22ａの第３端子およびコネクタ23ａの第３端子にそれぞれ接続され、セキュリティ用の第２の信号線27が、コネクタ22ａの第４端子およびコネクタ23ａの第４端子にそれぞれ接続される。
【００２３】
同様に、他のソーラーパネルモジュール12ｂも、ソーラーパネルモジュール12ａと同一構成をなし、太陽電池21ｂを内蔵すると共に、コネクタ22ｂ，23ｂを備えている。また、太陽電池21ｂの負極性端子に繋がる電源線24が、コネクタ22ｂの第１端子およびコネクタ23ｂの第１端子にそれぞれ接続され、太陽電池21ｂの正極性端子に繋がる電源線25が、コネクタ22ｂの第２端子およびコネクタ23ｂの第２端子にそれぞれ接続され、セキュリティ用の信号線26が、コネクタ22ｂの第３端子およびコネクタ23ｂの第３端子にそれぞれ接続され、セキュリティ用の信号線27が、コネクタ22ｂの第４端子およびコネクタ23ｂの第４端子にそれぞれ接続される。
【００２４】
なお、図１では２個のソーラーパネルモジュール12ａ，12ｂが示されているが、その個数については特に限定しない。
【００２５】
制御モジュール14は、前述した充放電制御回路13の他に、外部連結部としてのコネクタ31，32を備えている。一方のコネクタ31は、ソーラーパネルモジュール12ａ，12ｂの始端側のコネクタ22ａ，コネクタ22ｂに連結可能な形状を有し、その第１端子には電源線24が接続され、第２端子には電源線25が接続され、第３端子には信号線26が接続され、第４端子には信号線27が接続される。電源線24，25および信号線26は充放電制御回路13に接続され、電源線24と信号線26が同電位の接地された共通線29として、他方のコネクタ32の第１端子に接続される。また、コネクタ32の第２端子には、充放電制御回路13からの電源線25が接続され、コネクタ32の第３端子には、前記コネクタ31の第４端子からの信号線27が、充放電制御回路13を経由することなくそのまま接続される。
【００２６】
これにより、ソーラーパネルモジュール12ａの終端側にあるコネクタ23ａと、ソーラーパネルモジュール12ｂの始端側にあるコネクタ22ｂとを連結すると、ソーラーパネルモジュール12ａ，12ｂどうしが電気的に接続され、ソーラーパネルモジュール12ａの太陽電池21ａにソーラーパネルモジュール12ｂの太陽電池21ｂが並列に接続される。またこの状態で、ソーラーパネルモジュール12ａの始端側にあるコネクタ22ａと、制御モジュール14のコネクタ31を連結すると、ソーラーパネルモジュール12ａ，12ｂと制御モジュール14が電気的に接続され、各太陽電池21ａ，21ｂからの起電力が、電源線24，25を通して充放電制御回路13に供給される。
【００２７】
ターミネータ15は、ソーラーパネルモジュール12ｂの終端側で、前記信号線26，27を短絡するためのもので、ここではソーラーパネルモジュール12ａ，12ｂと制御モジュール14とを電気的に接続した状態で、ソーラーパネルモジュール12ｂのコネクタ23ｂにターミネータ15を連結すると、当該コネクタ23ｂの第３端子と第４端子が電気的に接続され、盗難信号発信機16に連結するコネクタ32から、制御モジュール14およびソーラーパネルモジュール12ａ，12ｂを順に経てターミネータ15に至る各構成品に、ループを描くような電気経路が形成されるようになっている。
【００２８】
盗難信号発信機16は、前記コネクタ32に連結可能なコネクタ41と、車両２の内部に搭載された二輪車のバッテリー42に連結可能なコネクタ43とを備え、ソーラーパネルモジュール12ａ，12ｂ若しくはバッテリー42からの電力供給を受けて動作する。ここでの盗難信号発信機16は、前記信号線26，27およびターミネータ15により形成されるループ状の電気経路を監視し、この電気経路が切断されたのを検知すると、二輪車各部の盗難の有無を検知する二輪車用の盗難抑止システム30の例えばスパイボール端子へ盗難信号を送出し、当該二輪車用盗難抑止システムからアラームを発報するように構成される。
【００２９】
次に、前記制御モジュール14の外観構成について、図２および図３を参照しながら説明する。これらの各図において、51は外郭をなす偏平箱状のケース、52，53，54はケース51の上面に設けられた表示部としてのＬＥＤ（発光ダイオード）であり、前述したコネクタ31，32はケース51の側面に並んで配置される。また、ここでは図示しないが、前記充放電制御回路13がケース51の内部に収納され、コネクタ31，32やＬＥＤ52，53，54と電気的に接続している。
【００３０】
図２や図３では、制御モジュール14のコネクタ32と盗難信号発信機16のコネクタ41との間を連結する中継ユニット56が示されている。中継ユニット56単体の外観は、図５に示すように、前記電源線25，信号線27および共通線29からなるケーブル57の一端と他端に、雄型カプラ58と雌型カプラ59をそれぞれ接続して構成される。そして、離間した車体カバー１と車両２との間で、中継ユニット56の雄型カプラ58が制御モジュール14の雌型のコネクタ32に連結され、中継ユニット56の雌型カプラ59が盗難信号発信機16の雄型のコネクタ41に連結される。
【００３１】
再度、図２および図３に戻り、ＬＥＤ52，53，54は各々異なる発光色の素子を有し、ここでは一例として、第１のＬＥＤ52が緑色、第２のＬＥＤ53が黄色、第３のＬＥＤ54が赤色の発光色を有しており、充放電制御回路13は、バッテリー42の両端間電圧からその充電量を監視し、また並列接続した太陽電池21ａ，21ｂの両端間電圧から、ソーラーパネルモジュール12ａ，12ｂの発電量を監視して、これらの監視結果に基づき、個々のＬＥＤ52，53，54の表示状態を制御する機能を有している。当該充放電制御回路13は、バッテリー42の充電量に応じて、点灯する一つの例えばＬＥＤ53を選択し、且つその選択したＬＥＤ53において、ソーラーパネルモジュール12ａ，12ｂの発電量に応じて、点滅の間隔を連続的に変化させるように、各ＬＥＤ52，53，54に必要な表示制御信号を送出する。ここでは、バッテリー42の充電量が増加するに従って、ＬＥＤ52→ＬＥＤ53→ＬＥＤ54の順に選択して点灯させ、ソーラーパネルモジュール12ａ，12ｂの発電量が増加するに従って、選択した一つの例えばＬＥＤ53の点滅間隔を次第に小さくするように構成している。これにより、点滅するＬＥＤ52，53，54を一つだけにして省電力化を図り、且つ感覚的にも見やすい表示形態を実現することができる。
【００３２】
図６および図７は、前記車体カバー１の外観を示している。これらの各図において、車体カバー１は図示しない二輪車の全体を覆うような流線形状を有し、その上面部には二輪車のシートに相当する位置に、前記ソーラーパネルモジュール12ａ，12ｂを収容するための第１の収容部61と、制御モジュール14を収容するための第２の収容部62が並んで設けられている。収容部61は、収容部62の前後両側にそれぞれ設けられており、ここでは一つの収容部61に対して、ソーラーパネルモジュール12ａ，12ｂを収容する２個のポケット（図示せず）を備えている。また収容部62は、一つの制御モジュール14を収容する１個のポケット（図示せず）を備えている。ソーラーパネルモジュール12ａ，12ｂの装着数は、車両に応じて変えることができ、例えば小型車では１個、大型車では２個装着するのが好ましい。従って、何れの車両タイプでも、合計で２つの収容部61の内部にはソーラーパネルモジュール12ａ，12ｂを装着していない空いたポケットが確保され、それらの収容部61の内部で、１個乃至２個のソーラーパネルモジュール12ａ，12ｂの収容場所を任意に選ぶことができる。これにより、例えば太陽光の照射角度や車体カバー１の設置場所に応じて、ソーラーパネルモジュール12ａ，12ｂの収容場所を変えることができ、ソーラーパネルモジュール12ａ，12ｂの発電量を効率的に増加させることができる。
【００３３】
また収容部61，62は、表側が透明ビニール片で、裏側に出し入れ口を有した非防水仕様の縫製体63で外郭が構成され、収容部61，62の上面開口を複数の透明ビニール片で覆っている。収容部61，62の表側を透明部材とすることで、収容部61，62の上面開口を塞いだ状態で、透明部材を通してソーラーパネルモジュール12ａ，12ｂに光を採り入れることが可能になる。
【００３４】
図８は、前記ソーラーパネルモジュール12ａ，12ｂの外観を示している。ソーラーパネルモジュール12ａ，12ｂは何れも同一形状を有し、外郭をなす偏平箱状のモジュール本体71と、このモジュール本体71から延設する配線ユニット72とにより構成される。モジュール本体71の内部には太陽電池21ａ，21ｂが配設され、モジュール本体71を通して太陽電池21ａ，21ｂに光が照射されると、太陽電池21ａ，21ｂから起電力が発生するようになっている。また配線ユニット72は、前述したハーネス17の一部を構成するもので、その先端にはコネクタ22ａ，22ｂが設けられる。この配線ユニット72によって、ソーラーパネルモジュール12ａ，12ｂどうしを電気的に接続し、必要に応じて複数のソーラーパネルモジュール12ａ，12ｂを繋げることができるようになっている。なお、個々には図示していないが、コネクタ22ａ，22ｂに連結する別なコネクタ23ａ，23ｂは、モジュール本体71の例えば側面に設けられる。
【００３５】
図９は、図８に示したソーラーパネルモジュール12ａ，12ｂを収容した状態の収容部61を示したものである。同図において、ここでは１つの収容部61に３個のポケット75ａ，75ｂ，75ｃが並んで設けられ、これらのポケット75ａ，75ｂ，75ｃに対応して、最大で３個のソーラーパネルモジュール12ａ，12ｂ，12ｃが収容される。また、ポケット75ａ，75ｂ，75ｃの表面には、前述の透明部材としてのクリア素材77が開閉自在に設けられる。
【００３６】
前述のように、収容部61に収容するソーラーパネルモジュール12ａ，12ｂ，12ｃの個数は、車両の特性やバッテリー42の容量など、車両タイプに応じて増減させることができる。また、ポケット75ａ，75ｂ，75ｃの個数に対して、ソーラーパネルモジュール12ａ，12ｂ，12ｃの収容個数が少ない場合には、例えば一つのソーラーパネルモジュール12ａを、ポケット75ａ，75ｂ，75ｃの何れか一つに収容することができ、ソーラーパネルモジュール12ａの収容場所を変えることで、ソーラーパネルモジュール12ａの発電量を効率的に増加させることができる。ここでのソーラーパネルモジュール12ｃは、他のソーラーパネルモジュール12ａ，12ｂと同一構成である。
【００３７】
隣接するポケット75ａとポケット75ｂ、および隣接するポケット75ｂとポケット75ｃの間隔Ｄは、何れもソーラーパネルモジュール12ａ，12ｂ，12ｃの厚さの２倍以上離れて形成される。そのため、太陽電池21ａ，21ｂ，21ｃをソーラーパネルモジュール12ａ，12ｂ，12ｃにより小型モジュール化し、複数のソーラーパネルモジュール12ａ，12ｂ，12ｃをそれぞれ間隔Ｄを離してポケット75ａ，75ｂ，75ｃに収容することができる。また、ソーラーパネルモジュール12ａ，12ｂ，12ｃが小型に分割され、また間隔Ｄも離れていることから、車体カバー１からソーラーパネルモジュール12ａ，12ｂ，12ｃを取り出さずに、車体カバー１を小さく折りたたむこともできる。
【００３８】
さらに、収容部51そのものに防水仕様がなくても、ソーラーパネルモジュール12ａ，12ｂ，12ｃを防水仕様とすることで、太陽電池21ａ，21ｂ，21ｃを含めた電装部の防水性を高めることができる。
【００３９】
次に、上記構成についてその作用を説明する。本実施例の太陽光発電システム11を使用する場合などには、必要な数のソーラーパネルモジュール12ａ，12ｂ，12ｃを、車体カバー１に設けた収容部61のポケット75ａ，75ｂ，75ｃに装着し、別な収容部62に制御モジュール14を装着して、これらのソーラーパネルモジュール12ａ，12ｂ，12ｃと制御モジュール14をハーネス17で順に接続する。また、車体カバー１に取り付けた制御モジュール14と車両に設けた盗難信号発信機16との間も、ハーネス17で相互に接続する。それにより、昼間は太陽光を各太陽電池21ａ，21ｂ，21ｃに照射することで、ソーラーパネルモジュール12ａ，12ｂ，12ｃで発電した電気とバッテリー42からの電気を併用し、夜間はバッテリー42からの電気を使用することで、太陽光発電システム11を24時間稼動させ、バッテリー42の消費電力を極めて低く抑えることができる。また、昼間は各太陽電池21ａ，21ｂ，21ｃからの起電力をバッテリー42に供給することで、バッテリー42を補充電することもできる。
【００４０】
さらに、太陽光発電システム11の盗難を抑止するためには、図１に示すように、制御モジュール14や他のソーラーパネルモジュール12ａと連結しないソーラーパネルモジュール12ｂのコネクタ23ｂにターミネータ15を装着し、車両側に設けた盗難信号発信機16と盗難抑止システム30を動作させる。前記ターミネータ15を取り付けると、盗難信号発信機16に連結するコネクタ32から、制御モジュール14およびソーラーパネルモジュール12ａ，12ｂを順に経て、ターミネータ15に至る各構成品に、ループを描くような電気経路が形成される。このとき充放電制御回路13は、太陽光発電システム11に組み込まれた太陽電池21ａ，21ｂと、車両に組み込まれたバッテリー42のどちらを電源として使うのかを制御して、セキュリティ用の信号線26，27に電流を供給する。
【００４１】
ここで、車体カバー１から太陽光発電システム11の一部または全部を取り外す目的で、連結しているコネクタ32，41と、コネクタ22ａ，31と、コネクタ22ｂ，23ａと、コネクタ23ｂおよびターミネータ15の何れかを切り離すと、盗難信号発信機16はループ状の電気経路が切断されたのを、前記信号線26，27を流れる電流の遮断から検知する。このとき、盗難信号発信機16から盗難抑止システム30に盗難信号が送出され、盗難抑止システム30からアラームが発報される。とりわけ本実施例では、太陽光発電システム11を車体カバー１に内蔵させているので、車体カバーを車両から外すために、コネクタ32，41の連結を解除した時点でアラームが発報され、不審者が車体にアクセスする前にセキュリティ報知を行なうことが可能になる。また、太陽光発電システム11に上記各構成品を経由する電気経路を形成するだけで、既存の盗難抑止システム30を利用して、効果的に太陽光発電システム11の盗難抑止機能を実現できる。
【００４２】
一方、制御モジュール14に組み込まれた充放電制御回路13は、電源線25と共通線29との間に発生するバッテリー42の両端間電圧から、当該バッテリー42の充電量を監視すると共に、電源線24，25の間に発生する太陽電池21ａ，21ｂの両端間電圧から、ソーラーパネルモジュール12ａ，12ｂの発電量を監視する。そして、バッテリー42の充電量に応じて、点灯すべき一つの例えばＬＥＤ53を選択し、ソーラーパネルモジュール12ａ，12ｂの発電量に応じた点滅間隔で、その選択したＬＥＤ53を点滅させて、ＬＥＤ53の何れか一つを常時または断続的に表示させる。
【００４３】
こうしてユーザーは、常時点灯または点滅するＬＥＤ52，53，54の表示状態を視認することで、わざわざ計測器を用意することなく、ソーラーパネルモジュール12ａ，12ｂの発電量とバッテリー42の充電量を直ぐに確認することができ、例えばバッテリー上がりが起こる前に、バッテリー42の残量が低下したことに気づくことが可能になる。また、夜間でもＬＥＤ52，53，54の中の一つが必ず点灯（点滅）することから、この点でも盗難抑止効果が得られる。
【００４４】
以上のように、本実施例の太陽光発電システム11は、車両の電源であるバッテリー42を充電するのに設けられ、このバッテリー42に起電力を供給する太陽電池21ａ，21ｂ，21ｃと、バッテリー42の残量と太陽電池21ａ，21ｂ，21ｃの発電量とを視認できる表示部としての例えばＬＥＤ52，53，54と、ＬＥＤ52，53，54の表示状態を制御する充放電制御回路13とを備えたものにおいて、ＬＥＤ52，53，54は、各々が異なる色で発光する複数の素子を備えており、充放電制御回路13は、バッテリー42の残量に応じて、複数の素子から一つの素子を選択して点灯させ、太陽電池21ａ，21ｂ，21ｃの発電量に応じて、選択した一つの素子の点滅間隔を変化させるように制御する構成となっている。
【００４５】
こうすれば、車両のユーザーがわざわざ計測器を用意したり、ボタンなどを操作したりすることなく、表示部であるＬＥＤ52，53，54の表示状態を視認すれば、バッテリー42の残量と太陽電池21ａ，21ｂ，21ｃの発電量を直ちに確認することができ、太陽光発電システム11として効率的な運用を図ることが可能になる。また、充放電制御回路13は、バッテリー42の充電量に応じて、点灯する一つの素子として例えばＬＥＤ53を選択し、かつその選択したＬＥＤ53において、太陽電池21ａ，21ｂ，21ｃの発電量に応じて、点滅の間隔を変化させる。これにより、点滅する素子を一つだけにして省電力化を図り、且つ感覚的にも見やすい表示形態を実現することができる。
【００４６】
また特に、前記表示部が複数の素子にそれぞれ対応した複数色のＬＥＤ52，53，54を備えている場合、個々に点灯する前記ＬＥＤ52，53，54と、当該ＬＥＤ52，53，54の点滅パターンで、前記バッテリー42の残量と太陽電池21ａ，21ｂ，21ｃの発電量を表示する構成としている。
【００４７】
こうすると、表示部としてＬＥＤ52，53，54を使用し、且つ複数の素子にそれぞれ対応した複数のＬＥＤ52，53，54の中で、選択した例えば一つのＬＥＤ53の点滅パターンを変化させて、発光するＬＥＤ52，53，54の個数と点灯時間を最小限にすることにより、表示部による消費電力を最小限にすると共に、感覚的に見やすい表示形態を実現できる。
【００４８】
また特に、選択した一つの素子である例えばＬＥＤ53の点滅パターンは、太陽電池21ａ，21ｂ，21ｃの発電量が増加するに従って、点滅間隔を次第に小さくするものとなっている。
【００４９】
こうすると、太陽電池21ａ，21ｂ，21ｃの発電量が増加するに従って、選択した一つの素子の点滅間隔が次第に小さくなる。これにより、点滅する素子を一つだけにして省電力化を図り、且つ感覚的にも見やすい表示形態を実現することができる。
【００５０】
また特に、充放電制御回路13は、バッテリー42の充電量が増加するに従って、複数の素子である緑色、黄色、赤色の発光色を有する三つの素子としてのＬＥＤ52，53，54を、この順に選択して点灯させる構成としている。
【００５１】
こうすると、バッテリー42の充電量が増加するに従って、緑色、黄色、赤色の順に選択して一つの素子を点灯させる。これにより、点滅する素子を一つだけにして省電力化を図り、且つ感覚的にも見やすい表示形態を実現することができる。
【００５２】
また本実施例では、太陽電池21ａ，21ｂ，21ｃを収容する少なくとも一つの太陽電池パネルとしてのソーラーパネルモジュール12ａ，12ｂ，12ｃと、車両を覆うカバーとしての車体カバー１に設けられ、ソーラーパネルモジュール12ａ，12ｂ，12ｃと同等以上の数を有する太陽電池ポケット75ａ，75ｂ，75ｃとを備えている。
【００５３】
この場合、車両の特性やバッテリー42の容量に応じて、必要な数のソーラーパネルモジュール12ａ，12ｂ，12ｃを、車両用の車体カバー１に設けたポケット75ａ，75ｂ，75ｃに取り付けることができる。またこの場合は、バッテリー42の残量と太陽電池21ａ，21ｂ，21ｃの発電量を表示部で確認しながら、ソーラーパネルモジュール12ａ，12ｂ，12ｃを装着するポケット75ａ，75ｂ，75ｃの位置を選ぶこともできる。
【００５４】
さらに本実施例では、太陽光発電システム11の状態信号である盗難信号を、車両の防犯装置である盗難抑止システム30に送出する構成を有している。そのため、車両の盗難の場合だけでなく、太陽光発電システム11の一部または全部の盗難が図られた場合にも、盗難抑止システム30に与えられる太陽光発電システム11の盗難信号によって、盗難を抑止することができる。また、既存の盗難抑止システム30と連動することにより、太陽光発電システム11専用の防犯装置を設ける必要がなく、必要最小限の構成で盗難抑止機能を付加できる。
【００５５】
なお本発明は、本実施例に限定されるものではなく、本発明の要旨の範囲内で種々の変形実施が可能である。例えば、ＬＥＤ52，53，54は２個以上幾つあってもよく、また異なる色の各素子を有する単独のＬＥＤで複数の色を切り替える構成であってもよい。さらに、ソーラーパネルモジュール12ａ，12ｂ，12ｃの発電量に応じて、選択するＬＥＤ52，53，54を変え、バッテリー42の充電量に応じて、選択した一つの例えばＬＥＤ53の点滅間隔を変えるようにしてもよい。
【符号の説明】
【００５６】
１  車体カバー（カバー）
11  太陽光発電システム
12ａ，12ｂ，12ｃ  ソーラーパネルモジュール（太陽電池パネル）
13  充放電制御回路
21ａ，21ｂ，21ｃ  太陽電池
30  盗難抑止システム（防犯装置）
42  バッテリー
52，53，54  ＬＥＤ（表示部）
75ａ，75ｂ，75ｃ  太陽電池ポケット
【図１】
0005533123.tif 000002
【図２】
0005533123.tif 000003
【図３】
0005533123.tif 000004
【図４】
0005533123.tif 000005
【図５】
0005533123.tif 000006
【図６】
0005533123.tif 000007
【図７】
0005533123.tif 000008
【図８】
0005533123.tif 000009
【図９】
0005533123.tif 000010